【手続補正書】
【提出日】平成19年9月12日(2007.9.12)
【手続補正１】
【補正対象書類名】明細書
【補正対象項目名】特許請求の範囲
【補正方法】変更
【補正の内容】
【特許請求の範囲】
【請求項１】  材料表面を被覆する方法であって、
（ａ）式（１）：
【化１】
2001163933.tif 000001
（式中、
Ｔは、ヒドロキシ、エポキシ、アミノ、Ｃ1−Ｃ6−アルキルアミノ、カルボキシ又はカルボキシ誘導体であり、そして
（oligomer）は、式（２）：
【化２】
2001163933.tif 000002
（式中、
（Alk）は、Ｃ2−Ｃ12−アルキレン（これは、−Ｏ−又は−ＮＨ−で中断されていてもよい）であり、
Ｑは、重合鎖反応停止剤として働くに適切である一価基であり、
ａ及びｂは、それぞれ他と独立して、０〜３５０の整数であり、ここで、（ａ＋ｂ）の合計は、２〜３５０の整数であり、そして
Ｚ及びＺ′が、それぞれ他と独立して、式（３）：
【化３】
2001163933.tif 000003
（式中、
Ｒ1は、水素若しくはＣ1−Ｃ6−アルキル、又は基−ＣＯＯＲ′であり；
Ｒ、Ｒ′及びＲ2は、それぞれ他と独立して、水素又はＣ1−Ｃ6−アルキルであり、そして
Ｒ3は、基−ＣＯＯＹ10（ここで、Ｙ10は、基−ＣＨ2ＣＨ2−Ｏ−（ＣＨ2ＣＨ2Ｏ）y−Ｅであり、Ｅは、水素若しくはＣ1−Ｃ6−アルキルであり、そしてｙは、３〜２４の整数であるか、又はＹ10は、基−Ｃ2−Ｃ6−アルキル−ＮＨ−Ｃ（Ｏ）−Ｏ−Ｇ（ここで、−Ｏ−Ｇは、糖の基又は基−Ｏ−（ＣＨ2ＣＨ2Ｏ）y−Ｅ（ここで、Ｅ及びｙは、それぞれ、上記と同義である）である）、及び基−ＣＯＮＹ11Ｙ12（ここで、Ｙ11は、水素又は非置換若しくはヒドロキシ置換Ｃ1−Ｃ24−アルキルであり、そしてＹ12は、Ｃ1−Ｃ12−アルキル（これは、基−Ｏ−（ＣＨ2ＣＨ2Ｏ）y−Ｅ（ここで、Ｅ及びｙは、それぞれ、上記と同義である）で置換されている）である）である）で示される基；及び下記式：
【化４】
2001163933.tif 000004
（式中、
Ｙ13は、高級脂肪酸のアシル基である）で示される双イオン性置換基からなる群から選択される非イオン性置換基である）で示される基である）のテロマーの基である）で示される親水性テロマー基を準備する工程；及び
（ｂ）親水性テロマーを材料表面に共有結合させる工程を含む方法。
【請求項２】  請求項１記載の方法により得ることができる被覆された材料。
【請求項３】  材料表面を被覆する方法であって、
（ａ）式（１）：
【化５１】
2001163933.tif 000005
（式中、
Ｔは、ヒドロキシ、エポキシ、アミノ、Ｃ1−Ｃ6−アルキルアミノ、カルボキシ又はカルボキシ誘導体であり、そして
（oligomer）は、式（２）：
【化５２】
2001163933.tif 000006
（式中、
（Alk）は、Ｃ2−Ｃ12−アルキレン（これは、−Ｏ−又は−ＮＨ−で中断されていてもよい）であり、
Ｑは、重合鎖反応停止剤として働くに適切である一価基であり、
ａ及びｂは、それぞれ他と独立して、０〜３５０の整数であり、ここで、（ａ＋ｂ）の合計は、２〜３５０の整数であり、そして
Ｚ及びＺ′が、それぞれ他と独立して、式（３）：
【化６】
2001163933.tif 000007
（式中、
Ｒ1は、水素若しくはＣ1−Ｃ6−アルキル、又は基−ＣＯＯＲ′であり；
Ｒ、Ｒ′及びＲ2は、それぞれ他と独立して、水素又はＣ1−Ｃ6−アルキルであり、そして
Ｒ3は、式（４）：
【化７】
2001163933.tif 000008
（式中、
Ａは、直接結合であるか、又は式（５ａ）、（５ｂ）、（５ｃ）、（５ｄ）若しくは（５ｅ）：
【化８】
2001163933.tif 000009
の基であり、
Ａ1は、−Ｏ−Ｃ2−Ｃ12−アルキレン（これは、非置換又はヒドロキシにより置換されている）、又は−Ｏ−Ｃ2−Ｃ12−アルキレン−ＮＨ−Ｃ（Ｏ）−若しくは−Ｏ−Ｃ2−Ｃ12−アルキレン−Ｏ−Ｃ（Ｏ）−ＮＨ−Ｒ33−ＮＨ−Ｃ（Ｏ）−（ここでＲ33は、直鎖若しくは分岐Ｃ1−Ｃ18−アルキレン又は非置換若しくはＣ1−Ｃ4−アルキル−若しくはＣ1−Ｃ4−アルコキシ−置換Ｃ6−Ｃ10−アリーレン、Ｃ7−Ｃ18−アラルキレン、Ｃ6−Ｃ10−アリーレン−Ｃ1−Ｃ2−アルキレン−Ｃ6−Ｃ10−アリーレン、Ｃ3−Ｃ8−シクロアルキレン、Ｃ3−Ｃ8−シクロアルキレン−Ｃ1−Ｃ6−アルキレン、Ｃ3−Ｃ8−シクロアルキレン−Ｃ1−Ｃ2−アルキレン−Ｃ3−Ｃ8−シクロアルキレン、又はＣ1−Ｃ6−アルキレン−Ｃ3−Ｃ8−シクロアルキレン−Ｃ1−Ｃ6−アルキレンである）であり；
Ａ2は、Ｃ1−Ｃ8−アルキレン、フェニレン又はベンジレンであり；
ｍ及びｎは、それぞれ他と独立して、０又は１の数であり；
Ｘ及びＸ1は、それぞれ他と独立して、二価基−Ｏ−又は−ＮＲ″−（ここで、Ｒ″は、水素又はＣ1−Ｃ6−アルキルである）であり；
（alk*）は、Ｃ2−Ｃ12−アルキレンであり、そして
（oligomer1）は、
（ｉ）式（６ａ）：
【化１０】
2001163933.tif 000010
（式中、
（alk）は、Ｃ2−Ｃ12−アルキレンであり、
Ｑ1は、重合鎖反応停止剤として働くに適切である一価基であり、
ｐ及びｑは、それぞれ他と独立して、０〜３５０の整数であり、ここで、（ｐ＋ｑ）の合計は、２〜３５０の整数であり、そして
Ｂ及びＢ′は、それぞれ他と独立して、ビニル性二重結合を単結合により置き換えることにより共重合性ビニルモノマーから誘導される１，２−エチレン基であり、基Ｂ及びＢ′の少なくとも一つは、親水性置換基で置換されている）で示されるテロマーの基；又は
（ii）式（６ｂ）：
【化１１】
2001163933.tif 000011
（式中、
Ｒ19は、水素又は非置換若しくはヒドロキシ−置換Ｃ1−Ｃ12−アルキルであり、
ｕは、２〜２５０の整数であり、そして
Ｑ′は、重合開始剤の基である）で示されるオリゴマーの基；又は
（iii）式（６ｂ′）：
【化１２】
2001163933.tif 000012
（式中、
Ｘ2は、−Ｏ−、−ＮＨ−又は−ＮＣ1−Ｃ6−アルキル−であり、そしてＲ19及びｕは、上記と同義である）で示される基；又は
（iv）式（６ｃ）：
【化１３】
2001163933.tif 000013
（式中、
Ｒ20及びＲ20′は、それぞれ独立に、Ｃ1−Ｃ4−アルキルであり、
Ａｎ-は、アニオンであり、
ｖは、２〜２５０の整数であり、そして
Ｑ″は、重合鎖反応停止剤として働くに適切である一価基である）で示されるオリゴマーの基；又は
（ｖ）式（６ｄ）若しくは（６ｄ′）：
【化１４】
2001163933.tif 000014
（式中、
Ｒ21は、水素又はＣ1−Ｃ4−アルキル（これは、非置換又はヒドロキシ、カルボキシ、カルバモイル、アミノ、フェニル、ｏ−、ｍ−若しくはｐ−ヒドロキシフェニル、イミダゾリル、インドリル又は基−ＮＨ−Ｃ（＝ＮＨ）−ＮＨ2により置換されている）であり、そして
ｔは、２〜２５０の整数である）で示されるオリゴペプチドの基、又はプロリン若しくはヒドロキシプロリンに基づくオリゴペプチドの基；又は
（vi）式（６ｅ）：
【化１５】
2001163933.tif 000015
（式中、
Ｒ34は、水素又はＣ1−Ｃ24アルキルであり、
（alk**）は、Ｃ2−Ｃ4−アルキレンであり、
ｚは、０又は１であり、
ｒ及びｓは、それぞれ独立して、０〜２５０の整数であり、そして（ｒ＋ｓ）の合計は、２〜２５０の整数である）で示されるポリアルキレンオキシドの基；又は
（vii）オリゴ糖の基を意味するが、
（oligomer1）が式（６ａ）の基であるとき、Ａは、直接結合ではなく、
（oligomer1）が式（６ｂ）、（６ｃ）、（６ｄ）若しくは（６ｅ）の基であるか、又はオリゴ糖の基であるとき、Ａは、式（５ａ）、（５ｂ）若しくは（５ｄ）の基であるか、又はＡとＲ1は、隣接二重結合と一緒になって、式（５ｆ）の基であり；
（oligomer1）が式（６ｂ′）の基であるとき、Ａは直接結合であり、そして
（oligomer1）が式（６ｄ′）の基であるとき、Ａは、式（５ｃ）又は（５ｅ）の基である）の基である）で示される基である）のテロマーの基である）で示される親水性テロマー基を準備する工程；及び
（ｂ）親水性テロマーを材料表面に共有結合させる工程を含む方法。
【請求項４】  Ｔが、アミノ又はカルボキシであり、（Alk）が、Ｃ2−Ｃ4−アルキレンであり、Ｑが、重合鎖反応停止剤として働くに適切である一価基であり、ｂが、０であり、ａが、５〜１００の整数であり、そしてＺが、式（３ａ）：
【化１７】
2001163933.tif 000016
（式中、
Ｒ2は、水素又はメチルであり、
Ａ1は、−Ｏ−（ＣＨ2）2-4−、−Ｏ−ＣＨ2−ＣＨ（ＯＨ）−ＣＨ2−又は基−Ｏ−（ＣＨ2）2-4−ＮＨ−Ｃ（Ｏ）−であり、
Ｘは、−Ｏ−又は−ＮＨ−であり、
（alk）は、Ｃ2−Ｃ4−アルキレンであり、
Ｑ1は、重合鎖反応停止剤として働くに適切である一価基であり、
ｑは、０であり
ｐは、５〜５０の整数であり、
Ｒ25及びＲ25’は、それぞれ他と独立して、水素又はメチルであり、そして
Ｒ26及びＲ26’は、それぞれ他と独立して、基−ＣＯＮＨ2、−ＣＯＮ（ＣＨ3）2、−ＣＯＮＨ−（ＣＨ2）2−ＯＨ又は下記式：
【化１８】
2001163933.tif 000017
の基、又は−ＣＯＯ−（ＣＨ2）2−Ｎ（ＣＨ3）2、又は−ＣＯＯ（ＣＨ2）2-4−ＮＨＣ（Ｏ）−Ｏ−Ｇ（ここで、−Ｏ−Ｇは、トレハロースの基である）である）で示される基である、請求項３記載の方法。
【請求項５】  請求項３記載の方法により得ることができる被覆された材料。
【請求項６】  生物医学装置である、請求項５記載の被覆された材料。
【請求項７】  コンタクトレンズ、眼内レンズ又は人工角膜である、請求項５記載の被覆された材料。